(57)【特許請求の範囲】
【請求項１】
基板で発生する熱を放熱するヒートシンクと、該ヒートシンクに把持された点灯回路を有する基板と、該基板のおもて面に設けられた平板状のＬＥＤ光源部と、該ヒートシンク及び該基板並びに該ＬＥＤ光源部を収容する透光性材料からなるカバーとを備えるＬＥＤ蛍光照明装置において、
表面に凹凸加工処理が施された透光性材料からなる導光拡散体を備え、
前記導光拡散体は、前記ＬＥＤ光源部から照射された光が、導光拡散体内部において、凹凸加工処理により形成された表面の凹凸により乱反射し、乱反射した光が更に反射するような形状に加工されており、
前記カバーは長尺の蛍光灯状の管体であり、前記ヒートシンク及び前記基板並びに前記ＬＥＤ光源部は長尺で、前記ＬＥＤ光源部は、前記基板上に管体長手方向に一列に配置されており、
前記導光拡散体は、縦断面視略三日月型に形成されており、前記導光拡散体の凹部は、前記ＬＥＤ光源部のおもて面と向かい合わせになるように設けられ、該ＬＥＤ光源部から照射される光を受容する受光面と、縦断面視ハの字となるように設けられ、前記ヒートシンクを把持する一対の傾斜面とで構成されることを特徴とするＬＥＤ蛍光照明装置。
【請求項２】
前記導光拡散体は、前記傾斜面のそれぞれに、管体長手方向に延びる突部（又は溝部）が設けられており、
前記ヒートシンクは、前記突部と係合する管体長手方向に延びる溝部（又は突部）が設けられており、
前記導光拡散体の突部（又は溝部）が前記ヒートシンクの溝部（又は突部）に挿入されて係合することにより、該導光拡散体と該ヒートシンクとが嵌合することを特徴とする請求項１に記載のＬＥＤ蛍光照明装置。
【請求項３】
前記ＬＥＤ光源部のＬＥＤとして有機エレクトロルミネッセンスを用いることを特徴とする請求項１又は請求項２に記載のＬＥＤ蛍光照明装置。
【発明の詳細な説明】
【技術分野】
【０００１】
本発明は、透光性材料からなり、凹凸加工が施された導光拡散体と、導光拡散体と略同じサイズに小型化されたヒートシンクとを設けることで広範囲の配光角が得られるようにしたＬＥＤ蛍光照明装置に関する。
【背景技術】
【０００２】
ＬＥＤ光源蛍光灯は、省エネ，ＣＯ２削減，水銀無使用等の優れた特性を持つため、従来の蛍光灯に代わる照明装置として注目されている。しかしながら、ＬＥＤの光は、直進的であるため、従来の蛍光灯のような灯具や天井からの反射がないので、ＬＥＤ蛍光照明装置直下は明るく照らされるが、光が照らされない部分が生じ、また、間接光でなく直接光であるため、眩しいという問題点があった。
【０００３】
この問題点を解決する技術として、特許文献１に開示された技術が知られている。特許文献１に開示された技術は、ＬＥＤ光源蛍光灯内に、２枚のＬＥＤ光源基板１０２を背中合わせになるように配置し、電源を外部に設けることで、照射角度を広げるというものである。（特許文献１を参照。）
【０００４】
この従来のＬＥＤ蛍光照明装置１０１では、ＬＥＤ光源基板１０２が２枚必要であり、それに応じた光源数が必要となることから、消費電力に欠点があり、また、背中合わせになるよう配置された２枚のＬＥＤ光源基板１０２からの光は、それぞれが、前方のみを照射するため、照射されない箇所が黒い線となって現れ、ユーザに違和感を与えるという問題があった。
【０００５】
このため、少ない光源数で、照射範囲を広げることが可能なＬＥＤ蛍光照明装置が種々提案されている。例えば、特許文献２のＬＥＤ蛍光照明装置２０１は、管体２０２の内部を、内壁２０３により、透光性合成樹脂等からなりＬＥＤ発光照明室でもある第１管体部２０４と、金属からなる横断面視円弧形状で電源室Ｂでもある第２管体部２０５とに二分されている。前記管体２０２の内部に、水平面と一対の傾斜面とを有する内壁２０３を、前記水平面を前記管体２０２の中心より第２管体部２０５側に位置させ、前記内壁２０３の水平面の上面にＬＥＤ発光装置２０６および蛍光体２０７を装備し、水平面の下面に電源回路２０８を装備し、傾斜面に導光拡散体２０９を装備している。
【０００６】
このＬＥＤ蛍光照明装置２０１によれば、水平面と一対の傾斜面とを有する内壁２０３を、前記水平面の両端を金属製の第２管体部２０５の端縁に連接して、内壁２０３と金属製の第２管体部２０５とを熱伝導的に連続させ、内壁２０３の水平面の上面にＬＥＤ発光装置２０６及び蛍光体２０７を装備し、水平面の下面に電源回路２０８を装備し、傾斜面に導光拡散体２０９を装備して、内壁２０３の略全面より蛍光光線をＬＥＤ発光照明室Ａである第１管体部２０４内で乱反射させることにより照射範囲を取付面側へも拡大することができる。
【先行技術文献】
【特許文献】
【０００７】
【特許文献１】特開２０１０−２６２９０９号公報
【特許文献２】特開２０１０−２７２４９６号公報
【発明の概要】
【発明が解決しようとする課題】
【０００８】
しかしながら、従来のＬＥＤ蛍光照明装置２０１では、ＬＥＤ光源からの光を、第１管体部２０４に向け発射し、第１管体部２０４よりの反射光線を導光拡散体２０９で再反射させる必要があり、前記反射光線を再反射させるためには、三層構造からなる導光拡散体２０９を、内壁２０３の傾斜面にアルミ箔を用いて接着させなければならず、製造過程が複雑でコスト高となる問題があった。
【０００９】
また、ＬＥＤ発光照明室Ａである第１管体部２０４と、電源回路２０８を装備した電源室Ｂとなっている第２管体部２０５とが内壁２０３によって遮られており、照射されない箇所が９０度を超す範囲で存在していた。
【００１０】
そこで、本発明が解決しようとする課題は、製造工程の簡素化・低コスト化が可能で、配光角を取付器具側（天井面，壁面等）へ拡大できるとともに、自然光に近く目に優しいＬＥＤ蛍光照明装置を提供することである。
【課題を解決するための手段】
【００１１】
この発明は、前記課題を解決するためになされたもので、請求項１に記載のＬＥＤ蛍光照明装置は、基板で発生する熱を放熱するヒートシンクと、該ヒートシンクに把持された点灯回路を有する基板と、該基板のおもて面に設けられた平板状のＬＥＤ光源部と、該ヒートシンク及び該基板並びに該ＬＥＤ光源部を収容する透光性材料からなるカバーとを備えるＬＥＤ蛍光照明装置において、表面に凹凸加工処理が施された透光性材料からなる導光拡散体を備え、前記導光拡散体は、前記ＬＥＤ光源部から照射された光が、導光拡散体内部において、凹凸加工処理により形成された表面の凹凸により乱反射し、乱反射した光が更に反射するような形状に加工されており、前記カバーは長尺の蛍光灯状の管体であり、前記ヒートシンク及び前記基板並びに前記ＬＥＤ光源部は長尺で、前記ＬＥＤ光源部は、前記基板上に管体長手方向に一列に配置されており、前記導光拡散体は、縦断面視略三日月型に形成されており、前記導光拡散体の凹部は、前記ＬＥＤ光源部のおもて面と向かい合わせになるように設けられ、該ＬＥＤ光源部から照射される光を受容する受光面と、縦断面視ハの字となるように設けられ、前記ヒートシンクを把持する一対の傾斜面とで構成されることを特徴としている。
【００１２】
請求項１に記載のＬＥＤ蛍光照明装置によれば、導光拡散体は、透光性材料からなり、凹凸加工処理が施され、表面に凹凸が加えられたことで、ＬＥＤ光源部から入射された光が、導光拡散体の内部を透過し、表面の凹凸により乱反射する。そして、導光拡散体は乱反射した光が更に反射するよう光学設計された形状に加工されているので、光の反射が連鎖しＬＥＤ光源部からの光を多方向に拡散させることができる。
【００１３】
また、請求項１に記載のＬＥＤ蛍光照明装置によれば、カバーの形状が長尺な蛍光灯状の管体であり、ヒートシンク及び基板並びにＬＥＤ光源部も長尺であり、ＬＥＤ光源部は基板上に管体長手方向に一列に配置されているため、従来の蛍光灯に代替させることができる。
【００１４】
さらに、請求項１に記載のＬＥＤ蛍光照明装置によれば、導光拡散体の受光面が、ＬＥＤ光源部のおもて面と向かい合うように配されているので、ＬＥＤ特有の直進的な光を効率的に受光することができる。また、導光拡散体の形状を縦断面視略三日月型としたことにより、導光拡散体内で乱反射した光を三日月型の曲面で受光できるので、より効率的な反射の連鎖が起き、導光拡散体の三日月型曲面部の全面から広範囲に照射できる。
【００１５】
請求項２に記載のＬＥＤ蛍光照明装置は、請求項１において、前記導光拡散体は、前記傾斜面のそれぞれに、管体長手方向に延びる突部（又は溝部）が設けられており、前記ヒートシンクは、前記突部と係合する管体長手方向に延びる溝部（又は突部）が設けられており、前記導光拡散体の突部（又は溝部）が前記ヒートシンクの溝部（又は突部）に挿入されて係合することにより、該導光拡散体と該ヒートシンクとが嵌合することを特徴としている。
【００１６】
請求項２に記載のＬＥＤ蛍光照明装置によれば、請求項１の効果に加えて、導光拡散体の傾斜面に突部（又は溝部）を設け、ヒートシンンクに溝部（又は突部）を設けたことにより、導光拡散体の傾斜面とヒートシンンクとを嵌合させて管体内において導光拡散体の落下を防止するとともに、導光拡散体の熱を基板及びＬＥＤ光源部の熱とともに放熱することができる。
【００１７】
請求項３に記載のＬＥＤ蛍光照明装置は、請求項１又は請求項２において、前記ＬＥＤ光源部のＬＥＤに有機エレクトロルミネッセンスを用いることを特徴としている。
【００１８】
請求項３に記載のＬＥＤ蛍光照明装置によれば、請求項１又は請求項２の効果に加えて、ＬＥＤ光源部に有機エレクトロルミネッセンス（以下、有機ＥＬという。）を用いることで、発光効率は高いが、発熱が少なく、また、有機ＥＬ自体が発光するため電圧が低く抑えられ、消費電力を削減することができる。
【発明の効果】
【００２１】
この発明によれば、製造工程の簡素化・低コスト化が可能で、配光角を取付器具側（天井面，壁面等）へ拡大できるとともに、自然光に近く目に優しいＬＥＤ蛍光照明装置を提供することができる。
【図面の簡単な説明】
【００２２】
【図１】本発明の一実施形態に係るＬＥＤ蛍光照明装置の縦断面図である。
【図２】本発明の一実施形態であって、ＬＥＤ蛍光照明装置のエンドキャップを外した状態を示す斜視図である。
【図３】導光拡散体の縦断面図である。
【図４】ヒートシンクの縦断面図である。
【図５】本発明の一実施形態に係るＬＥＤ蛍光照明装置の正面図である。
【図６】ＬＥＤ光源部から受光面への照射角度を示す縦断面図である。
【図７】ＬＥＤ光源部からの光の拡散の説明に供する図である。
【図８】本発明の一実施形態に係る導光拡散体の厚み及びＬＥＤ光源部との距離についての説明に供する図である。
【図９】本発明の一実施形態に係るＬＥＤ蛍光照明装置の配光角の特性を示すグラフである。
【図１０Ａ】従来のＬＥＤ蛍光照明装置の一実施形態を示す図である。
【図１０Ｂ】従来のＬＥＤ蛍光照明装置の他の実施形態を示す図である。
【発明を実施するための形態】
【００２３】
以下、本発明を適用した具体的な実施の形態について、図面を参照しながら詳細に説明する。本発明は、例えば、図１及び図２に示すような構成のＬＥＤ蛍光照明装置１に適用される。
【００２４】
先ず、図１，図２及び図５を参照して、ＬＥＤ蛍光照明装置１の構成の概略について説明する。このＬＥＤ蛍光照明装置１は、図１に示すように、基板４で発生する熱を放熱させるヒートシンク６と、裏面がヒートシンク６と密着するよう設けられ、ＬＥＤ光源部３を支持する基板４と、基板４のおもて面と密着するように設けられているＬＥＤ光源部３と、ＬＥＤ光源部３及び基板４並びにヒートシンンク６を把持し、ＬＥＤ光源部３からの光を内部で拡散させて外部に向けて照射する導光拡散体５と、ヒートシンク６を挾持するように設けられ、ＬＥＤ光源部３と基板４とする導光拡散体５とヒートシンク６とを収容する管体２と、管体２の両端に設けられた一対のエンドキャップ１６ａ，１６ｂと、エンドキャップ１６ａ，１６ｂに備えられた支持端子部１７ａ，１７ｂを主要部として備えている。
【００２５】
管体２は、ガラス又は樹脂等の透光性材料からなり、図２に示すように、長尺で、長手方向に沿って一部が開口となっており、開口端辺１０ａと開口端辺１０ｂとによって、ヒートシンク６が挾持された構成になっている。
【００２６】
管体２は、従来の蛍光灯では、真空状態にした管の中に微量の水銀の蒸気を入れることで、そこに電気を流して発光させていたのに対し、光源をＬＥＤとしたことで、中空であればよく、必ずしも完全密閉されることを必要としない。
【００２７】
ＬＥＤ光源部３は、例えば３ｍｍ×２．５ｍｍの矩形状のチップである。また、ＬＥＤ光源部３は、例えば青又はそれよりも波長の短い発光ダイオードのチップを蛍光体で覆った構造をしており、白色に発光する。なお、ＬＥＤ光源部３は、基板４上に収まる大きさであればよく、上記大きさに限定されない。また、ＬＥＤ光源部３は、発光層が有機化合物からなる有機ＥＬを用いてもよい。
【００２８】
ＬＥＤ光源部３は、基板４の上面に、複数個、適宜の間隔で（又は隙間なく）管体長手方向に一列に配置され、発光の際に生じる熱は、基板４を介してヒートシンク６に伝導し、そこから放出されるようになっている。
【００２９】
基板４は、ＬＥＤを点灯させるための回路を有し、例えば、ガラスエポキシ樹脂からなる本体に配線パターンが形成されている。なお、基板４の本体は、アルミニウム，セラミック及びガラス等の放熱性を有するものとしてもよい。
【００３０】
基板４は、上面にＬＥＤ光源部３を実装し、管体長手方向に長尺に、裏面がヒートシンク６と密着するよう設けられている。ＬＥＤ点灯回路で発生する熱は、基板４及びヒートシンク６を介して放出される。
【００３１】
エンドキャップ１６ａ，１６ｂは、管体２の両端に設けられ、直管型蛍光灯と差し替えが可能なように、直管型蛍光灯と同じエンドキャップを用いている。また、エンドキャップ１６ａ，１６ｂのそれぞれには、直管型蛍光灯の端子と同様の支持端子部１７ａ，１７ｂを備えている。したがって、ＬＥＤ蛍光照明装置１は、直管型蛍光灯に対応した照明器具のソケットＳ（図示せず）に、そのまま装着することができる。
【００３２】
次に、図１，図３，図６，図７及び図８を参照して、導光拡散体５の構成を詳細に説明する。この導光拡散体５は、ＬＥＤ光源部３から照射される光を乱反射させ、照射角度を拡大させるために設けられている。このため、乱反射した光が更に反射するような形状、例えば、管体長手方向に長尺で、縦断面視略三日月形に加工されている。なお、導光拡散体５は、乱反射した光が更に反射するような形状であればよく、前記形状に限定されない。
【００３３】
導光拡散体５は、ＬＥＤ光源部３から照射される光を受容する平面状の受光面９と、ヒートシンク６を把持する一対の傾斜面７ａ，７ｂと、傾斜面７ａ，７ｂのそれぞれに設けられ、ヒートシンク６の突部１４ａ，１４ｂと係合する溝部８ａ，８ｂと、導光拡散体５内で乱反射した光を曲面で受光し、より効率的な反射の連鎖を起こす曲面部１１とを主要部として備えている。
【００３４】
導光拡散体５は、透光性材料からなり、多層構造ではなく単一の素材（実施例においてはアクリルを使用している）から形成されているので、製造工程を簡略化することができ、製造コストを抑えることができる。なお、導光拡散体５は、ガラスや樹脂等の透光性材料から形成されていればよく、素材は限定されない。また、導光拡散体５は、レンズの形態に限定されず、フィルムの形態としてもよい。
【００３５】
受光面９は、平面状に形成されており、ＬＥＤ光源部３のおもて面と向かい合わせになるように設けられ、ＬＥＤ光源部３のおもて面との距離を３ｍｍとしている。また、受光面９及び曲面部１１間の導光拡散体の厚さを２．４ｍｍとしている。
【００３６】
これは、光学設計に基づいて最適な値を定めたものである。すなわち、ＬＥＤ光源部３のおもて面に、受光面９及び曲面部１１を近づけるほど、曲面部１１の曲率が小さくなり形状が平面に近くなるので反射の連鎖が起こりにくくなる一方、ＬＥＤ光源部３のおもて面から、受光面９及び曲面部１１を遠ざけるほど、曲面部１１の曲率が大きくなり光が軌道方向に集中してしまうので照度にバラツキが生じることを考慮したものである。
【００３７】
受光面９の幅は、平面上のＬＥＤから照射される光の角度である１２０°であることから、ＬＥＤ光源部３から照射される直進的な光の略全てを受光できるように定められている。
【００３８】
傾斜面７ａ，７ｂに設けられた溝部８ａ，８ｂは、ヒートシンク６の把持部１２に設けられた突部１４ａ，１４ｂに挿入されて係合することにより、導光拡散体５がヒートシンク６に嵌合される。なお、この溝部８ａ，８ｂを突形状とし、突部１４ａ，１４ｂを溝形状としてもよい。また、傾斜面７ａ，７ｂとヒートシンク６との係合の仕方については、スライド挿入でもよいし、弾性力を利用して嵌合させてもよい。
【００３９】
導光拡散体５の傾斜面７ａ，７ｂに設けられた溝部８ａ，８ｂ及び曲面部１１間の導光拡散体の厚さは、１ｍｍとしている。これは、光学設計に基づいて最適な値を定めたものである。すなわち、導光拡散体内で乱反射した光が取付器具側（天井面及び壁面）に届き、その光が照明器具の反射板で広がるように考慮したものである。
【００４０】
曲面部１１は、導光拡散体５内で乱反射した光の反射の連鎖が起きるように、緩やかな曲面状に成形されている。導光拡散体５内で乱反射により拡散した光は、曲面部１１の全面から広範囲に照射される。
【００４１】
導光拡散体５は、表面に、コンプレッサーによって、研磨材を混ぜた圧縮空気を吹き付けるブラスト加工が施されており、ブラスト加工によって形成される凹凸のサイズは、１μから１ｍｍとされ、曲面部１１の形状、及び、このブラスト加工によって表面に形成された凹凸により、ＬＥＤ光源部３から受光した光を乱反射させることを可能にし、発光方向を光学設計技術により自在に変化させることができる。なお、導光拡散体５の表面の凹凸は、ブラスト加工に限られず、金型等を用いた一体成形によって形成してもよい。
【００４２】
次に、図１及び図４を参照して、ヒートシンク６の構成を説明する。このヒートシンク６は、導光拡散体５と略同じサイズに小型化されており、ＬＥＤ光源部３と基板４とを収容し、管体２の内側方向に突出する把持部１２と、把持部１２の両側面に位置する凹部１３ａ，１３ｂと、導光拡散体５と嵌合するための突部１４ａ，１４ｂと、基板４の裏面側に位置し、管体長手方向に配列された複数枚のフィン部１５とを主要部として備えている。
【００４３】
ヒートシンク６は、例えばアルミニウム等の軽量かつ熱伝導性が高い材料からなり、把持部１２と、凹部１３ａ，１３ｂと、突部１４ａ，１４ｂとフィン部１５とが縦断面視コ字状に一体成形されている。
【００４４】
ヒートシンク６は、基板４の裏面と密着し、導光拡散体５に嵌合するよう設けられているため、基板４及び導光拡散体５との接触面から伝導した熱を、フィン部１５を介して効率よく放出することができる。なお、この突部１４ａ，１４ｂは、溝形状とし、溝部８ａ，８ｂを突形状としてもよい。
【００４５】
ヒートシンク６は、フィン部１５の各先端が描く軌跡を断面視円弧状としたことで管体２と組み合わせた時に、全体として円筒状の一般の蛍光灯と同様の形態となり、既存の直管型蛍光灯用のエンドキャップを取り付けることができる。
【００４６】
続いて、ＬＥＤ蛍光照明装置１の動作について説明する。先ず、ユーザが電源を入れると基板４の回路に電源が供給されてＬＥＤ光源部３が発光する。ＬＥＤ光源部３から照射された光の角度は１２０°であり、ＬＥＤ光源部３と向かい合うように設けられた、導光拡散体５の受光面９が、ＬＥＤ光源部３から照射された光の略全てを受光する。
【００４７】
導光拡散体５の受光面９で受光した光は、導光拡散体５内を透過し、曲面部１１の形状、及び、導光拡散レンズ５の表面にブラスト加工が施されたことによって、曲面部１１で乱反射し、乱反射した光が、更に、導光拡散体内を透過して曲面部１１で乱反射する。この乱反射の連鎖によって、光が導光拡散体５内を広範囲に拡散することとなる。
【００４８】
導光拡散体５内を広範囲に拡散した光は、導光拡散体５の曲面部１１から管体２に向けて照射され、管体２は透光性材料からなるので、管体２に向けて照射された光は、そのまま管体２を透過して、管体２の全周面から外部空間へと均一に照射される。
【００４９】
ＬＥＤ蛍光照明装置１は、管体２が、ヒートシンク６を挾持しており、使用にあたっては、ヒートシンク６が取付器具側に位置するように設置する。ヒートシンク６は導光拡散レンズ５と略同じサイズに小型化されているため、ヒートシンク６によって遮蔽される部分が少なくなるので、管体２から照射される光の照射角度を３４０°まで拡大することができる。これにより、取付器具側（天井面及び壁面）に光が届き、その光が照明器具の反射板で広がるので、事実上、照射範囲を３６０°まで拡大でき、ユーザに違和感を与えることがない。また、導光拡散体５の形状は、目的に応じた形状に変更可能であり、例えば、ユーザが望む照射角度・方向になるように変えることもできる。
【００５０】
最後に、ＬＥＤ蛍光照明装置１の特性を示す。図９は、ＬＥＤ蛍光照明装置１の実測値に基づく照射範囲を示すグラフである。図９に示すように、ＬＥＤ光源部３からの光が略３４０°の角度に照射されていることが分かる。照射されていない残りの角度２０°については、前述の通り、照明器具の反射板で、反射によって光が届く仕組みになっている。
【００５１】
表１は、ＬＥＤ蛍光照明装置１の実測値に基づく照度を他社と比較した表である。
【表１】
0005296236.tif 000002
【００５２】
表１が示すように、ＬＥＤ蛍光照明装置１は、消費電力を抑えながらも演色性の高い、自然光に近く目に優しい光を発光することが分かる。このように、ＬＥＤ蛍光照明装置１は、優れた特性を有することが証明された。
【００５３】
以上のとおり、本発明によれば、導光拡散レンズ５は、透光性材料からなり、凹凸加工処理が施され、表面に凹凸が加えられたことで、ＬＥＤ光源部３から入射された光が、導光拡散体５の内部を透過し、表面の凹凸により乱反射する。そして、導光拡散体５は乱反射した光が更に反射するような形状に加工されているので、光の反射が連鎖しＬＥＤ光源部３からの光を多方向に拡散させることができる。
【００５４】
また、本発明によれば、ＬＥＤ光源部３に有機エレクトロルミネッセンス（以下、有機ＥＬという。）を用いることで、発光効率は高いが、発熱が少なく、また、有機ＥＬ自体が発光するため電圧が低く抑えられ、消費電力を削減することができる。
【００５５】
また、本発明によれば、カバーの形状が長尺な蛍光灯状の管体２であり、ＬＥＤ光源部３及び基板４並びにヒートシンク６も長尺であり、ＬＥＤ光源部３は基板４上に管体長手方向に一列に配置されているため、請求項１又は請求項２の効果を奏する照明装置として、従来の蛍光灯に代替させることができる。
【００５６】
また、本発明によれば、導光拡散体５の受光面９が、ＬＥＤ光源部３のおもて面と向かい合うように配されているので、ＬＥＤ特有の直進的な光を効率的に受光することができる。また、導光拡散体５の形状を縦断面視略三日月型としたことにより、導光拡散体５内で乱反射した光を三日月型の曲面で受光できるので、より効率的な反射の連鎖が起き、導光拡散体５の三日月型曲面部１１の全面から広範囲に照射できる。
【００５７】
さらに、本発明によれば、導光拡散体５の傾斜面７ａ，７ｂに溝部（又は突部）８ａ，８ｂを設け、ヒートシンンク６に突部（又は溝部）１４ａ，１４ｂを設けたことにより、導光拡散体５の傾斜面７ａ，７ｂとヒートシンンク６とを嵌合させて管体２内において導光拡散体５の落下を防止するとともに、導光拡散体５の熱をＬＥＤ光源部３及び基板４の熱とともに放熱することができる。
【００５８】
なお、本発明は前述した実施の形態のみに限定されるものではなく、本発明の要旨を逸脱しない範囲において種々の変更が可能であることは勿論である。
【符号の説明】
【００５９】
１        ＬＥＤ蛍光照明装置
２        管体
３        ＬＥＤ光源部
４        基板
５        導光拡散体
６        ヒートシンク
７ａ，７ｂ  傾斜面
８ａ，８ｂ  溝部（又は突部）
９        受光面
１０ａ，１０ｂ  開口端辺
１１      曲面部
１２      把持部
１３ａ，１３ｂ  凹部        
１４ａ，１４ｂ  突部（又ｈ溝部）
１５      フィン部
１６ａ，１６ｂ  エンドキャップ
１７ａ，１７ｂ  支持端子部
Ｌ１，Ｌ２，Ｌ３  光
Ｓ        ソケット
１０１    ＬＥＤ蛍光照明装置
１０２    光源基板
２０１    ＬＥＤ蛍光照明装置
２０２    管体
２０３    内壁
２０４    管体部
２０５    管体部
２０６    発光装置
２０７    蛍光体
２０８    電源回路
２０９    導光拡散体
【図１】
0005296236.tif 000003
【図２】
0005296236.tif 000004
【図３】
0005296236.tif 000005
【図４】
0005296236.tif 000006
【図５】
0005296236.tif 000007
【図６】
0005296236.tif 000008
【図７】
0005296236.tif 000009
【図８】
0005296236.tif 000010
【図１０Ａ】
0005296236.tif 000011
【図１０Ｂ】
0005296236.tif 000012
【図９】
0005296236.tif 000013